(57)【要約】【課題】光源からの熱やライトトンネルに対する荷重に起因する光学特性の変動を回避し、組立工数を減じて作業性に優れたライトトンネルの保持機構及び画像投射装置を提供する。【解決手段】光源３１から射出された光を内部の反射面により導光して射出するライトトンネル５２の保持機構であって、ライトトンネル５２の隣り合う２つの面の各々に接触して接着剤で固定するための２つの基準面３５ａ，３５ｂを有するライトトンネルホルダー３３と、ライトトンネル５２をライトトンネルホルダー３３に接着する際にライトトンネル５２と基準面３５ａ，３５ｂとが密着するようにライトトンネル５２に対して付勢力を付加するとともに、接着後にライトトンネル５２に対する付勢力を解除する第１付勢部とを備える。【選択図】図１
2011102904.tif 000002
【特許請求の範囲】
【請求項１】
一方の開口部から入射した光を内部の反射面で反射させることにより導光して他方の開口部から射出するライトトンネルの保持機構であって、
前記ライトトンネルの隣り合う２つの外側面の各々に接触して、前記ライトトンネルの位置決めを行うための２つの基準面を有する保持部と、
前記ライトトンネルを前記保持部に位置決めする際に前記ライトトンネルと前記基準面とが密着するように前記ライトトンネルに対して付勢力を付加するとともに、前記ライトトンネルを前記保持部に位置決めした状態で前記ライトトンネルと前記保持部とを接着固定した後に前記ライトトンネルに対する付勢力を解除する第１付勢部と、
を備えることを特徴とするライトトンネルの保持機構。
【請求項２】
前記第１付勢部と一体的に設けられ、前記第１付勢部の付勢力が解除された際に、前記第１付勢部が付勢力を付加する際の力よりも弱い付勢力で前記ライトトンネルの位置を保持する第２付勢部を備えることを特徴とする請求項１記載のライトトンネルの保持機構。
【請求項３】
前記第２付勢部は、前記第１付勢部が付勢力を付加する際の前記ライトトンネルに対する接触面積よりも広い接触面積で前記ライトトンネルに付勢力を付加することを特徴とする請求項２記載のライトトンネルの保持機構。
【請求項４】
請求項１乃至請求項３のいずれか１項のライトトンネルの保持機構を備えることを特徴とする画像投射装置。
【発明の詳細な説明】
【技術分野】
【０００１】
本発明は、面内の均一な照明光を得るために用いられるライトトンネルの保持機構及び当該ライトトンネルの保持機構を備えた画像投射装置に関する。
【背景技術】
【０００２】
従来から、光源からの光をＬＣＯＳ（Ｌｉｑｕｉｄ  Ｃｒｙｓｔａｌ  ｏｎ  Ｓｉｌｉｃｏｎ）パネル等の画像素子により変調してスクリーン上に投影するプロジェクタ等の画像投射装置が利用されている。このような画像投射装置は、一般に光路上にライトトンネルを備えており、光源からの光を当該ライトトンネルで照度分布を均一化した後に画像素子に導き、形成した画像をスクリーン等に投射する。
【０００３】
特許文献１には、熱による特性変動のないロッドインテグレータ支持機構が記載されている。なお、ロッドインテグレータは、面内の均一な輝度分布を得るためのものであり、ライトトンネルに大別される。特許文献１に記載のロッドインテグレータ支持機構は、ロッドインテグレータの断面より若干大きい開口部を設けた耐熱性の高い材質で形成されたマスク部材と、側面に開口部を設けた中空部材とを含み、マスク部材を中空部材の両端にそれぞれ固定し、ロッドインテグレータを該中空部材に挿入して両サイドのマスク部材によってロッドインテグレータを支持し、さらに該中空部材の側面に設けた開口部から板ばねを取り付けて、ロッドインテグレータの側面を付勢している。
【０００４】
図９は、特許文献１に記載のロッドインテグレータ支持機構の構造を示す上面図及び断面図である。図９に示すように、中空部材２の側面には開口部１２と開口部１３が穿設されており、２つの開口部の間には板ばね１１の固定用ネジ１０を螺合するためのブリッジ部１４が設けられている。また、中空部材２の両端には、マスク８、マスク９を重ね合わせて取り付けてある。さらに、少なくとも左側のマスク９の入射面６は鏡面またはそれに近い状態に研磨してある。なお、マスク部材８、９はアルミ、ステンレス、セラミックなど耐熱性の高い材料で作られている。
【０００５】
特許文献１に記載のロッドインテグレータ支持機構によれば、マスク８，９の材質をアルミやステンレスなどの金属、あるいはセラミックス等にすれば、高出力の光源を用いた場合でも支持部材からガスなどの発生もない。また、マスク９部材の入射面６側を鏡面あるいは鏡面に近い状態にしたので入射光の吸収が少なく、熱応力によるロッドインテグレータ１の変形等も逃がすことができ、マスク９自体の変形も防ぐことができる。したがって、ロッドインテグレータ１の位置はマスク８，９によって規定され経時的にも変動を生じず、安定した光学特性を維持することが可能となる。
【０００６】
また、特許文献２には、耐熱性に優れ信頼性を向上させたロッドインテグレータ保持機構が記載されている。図１０は、特許文献２に記載のロッドインテグレータ保持機構の構造を示す斜視図である。図１０に示すように、このロッドインテグレータ保持機構は、ロッドインテグレータ２０の隣り合う２つの面を、互いに直角な面を具備する保持部材２５−１，２５−２に粘着剤で取り付けている。さらに、２枚のＬ字状の部材２１，２２は、ロッドインテグレータ２０の隣り合う２つの面とは別の２つの面にそれぞれ粘着剤で取り付けられている。また、２枚のＬ字状の部材２１，２２は、互いに直角な面を具備する保持部材２５−１，２５−２にネジ止めされている。
【０００７】
特許文献２に記載のロッドインテグレータ保持機構によれば、ロッドインテグレータ２０の保持にバネを使用していないので、ロッドインテグレータ２０に必要以上の加重が加わることがなく、光学特性への影響が殆どなく、また、ロッドインテグレータ２０が百数十度以上の高温になっても、粘着剤のおかげでロッドインテグレータ２０が崩壊することがない。
【０００８】
また、直角な面を有する保持部材２５−１，２５−２と、保持部材２５−１，２５−２に取り付けられる２枚のＬ字状の部材２１，２２とにより、ロッドインテグレータ２０の４面を全て粘着剤により取り付けるように構成するので、製造上、不可避的に生じるロッドインテグレータ２０の公差を吸収することができる。
【先行技術文献】
【特許文献】
【０００９】
【特許文献１】特開平８−２２７０３４号公報
【特許文献２】特開２００５−６２４８３号公報
【発明の概要】
【発明が解決しようとする課題】
【００１０】
しかしながら、特許文献１に記載のロッドインテグレータ支持機構は、ロッドインテグレータ１を固定するためにロッドインテグレータ１の側面に光軸と垂直方向の付勢力を加える板ばね１１を取り付けており、光源からの入射光による温度の上昇と板ばね１１の荷重とによる歪みがロッドインテグレータ１に発生する場合があり、ロッドインテグレータ１の光学特性に悪影響を与えるという問題がある。
【００１１】
これに対し、特許文献２に記載のロッドインテグレータ保持機構は、上述した特許文献１に記載のロッドインテグレータ支持機構に予想される問題点に対応した構造であり、板ばねによる荷重がロッドインテグレータ２０に加わらないように、板ばねの代わりにロッドインテグレータ２０に垂直な面を有する保持部材２５−１，２５−２を備え、その保持部材２５−１，２５−２とロッドインテグレータ２０とを接着固定している。
【００１２】
しかしながら、特許文献２に記載のロッドインテグレータ保持機構は、２枚のＬ字状の部材２１，２２を保持部材２５−１，２５−２に固定する際に、部材２１，２２を正しい位置に保持しながら一定の姿勢で２方向からそれぞれ２本のネジ２３，２４によりネジ止めする必要があり、手間や時間がかかるという点で作業性に問題がある。
【００１３】
本発明は上述した従来技術の問題点を解決するもので、光源からの熱やライトトンネルに対する荷重に起因する光学特性の変動を回避し、組立工数を減じて作業性に優れたライトトンネルの保持機構及び画像投射装置を提供することを課題とする。
【課題を解決するための手段】
【００１４】
本発明に係るライトトンネルの保持機構は、上記課題を解決するために、一方の開口部から入射した光を内部の反射面で反射させることにより導光して他方の開口部から射出するライトトンネルの保持機構であって、前記ライトトンネルの隣り合う２つの外側面の各々に接触して、前記ライトトンネルの位置決めを行うための２つの基準面を有する保持部と、前記ライトトンネルを前記保持部に位置決めする際に前記ライトトンネルと前記基準面とが密着するように前記ライトトンネルに対して付勢力を付加するとともに、前記ライトトンネルを前記保持部に位置決めした状態で前記ライトトンネルと前記保持部とを接着固定した後に前記ライトトンネルに対する付勢力を解除する第１付勢部とを備えることを特徴とする。
【００１５】
また、本発明に係る画像投射装置は、上記課題を解決するために、一方の開口部から入射した光を内部の反射面で反射させることにより導光して他方の開口部から射出するライトトンネルを保持する機構であり、前記ライトトンネルの隣り合う２つの外側面の各々に接触して、前記ライトトンネルの位置決めを行うための２つの基準面を有する保持部と、前記ライトトンネルを前記保持部に位置決めする際に前記ライトトンネルと前記基準面とが密着するように前記ライトトンネルに対して付勢力を付加するとともに、前記ライトトンネルを前記保持部に位置決めした状態で前記ライトトンネルと前記保持部とを接着固定した後に前記ライトトンネルに対する付勢力を解除する第１付勢部とからなるライトトンネルの保持機構を備えることを特徴とする。
【発明の効果】
【００１６】
本発明によれば、光源からの熱やライトトンネルに対する荷重に起因する光学特性の変動を回避し、組立工数を減じて作業性に優れたライトトンネルの保持機構を実現することができる。
【図面の簡単な説明】
【００１７】
【図１】本発明の実施例１の形態のライトトンネルの保持機構の概観を示す上面図及び側面図である。
【図２】本発明の実施例１の形態の画像投射装置の構成を示す光学レイアウト図である。
【図３】本発明の実施例１の形態のライトトンネルの保持機構に用いられる板ばねの各方向からの斜視図である。
【図４】本発明の実施例１の形態のライトトンネルの保持機構におけるライトトンネル装着前のライトトンネルホルダーと板ばねの状態を示す断面図及び斜視図である。
【図５】本発明の実施例１の形態のライトトンネルの保持機構におけるライトトンネル装着後のライトトンネルホルダーと板ばねの状態を示す断面図及び斜視図である。
【図６】本発明の実施例１の形態のライトトンネルの保持機構においてライトトンネルを基準面に接着した後に板ばね固定用のねじを装着した状態を示す図である。
【図７】本発明の実施例１の形態のライトトンネルの保持機構における板ばね固定用のねじの構造を示す図である。
【図８】本発明の実施例１の形態のライトトンネルの保持機構における板ばねのライトトンネルに対する付勢力の解除動作の詳細について説明する図である。
【図９】従来のライトトンネルの保持機構の構造を示す上面図及び断面図である。
【図１０】従来のライトトンネルの保持機構の構造を示す斜視図である。
【発明を実施するための形態】
【００１８】
以下、本発明のライトトンネルの保持機構及び画像投射装置の実施の形態を、図面に基づいて詳細に説明する。
【実施例１】
【００１９】
以下、本発明の実施例について図面を参照しながら説明する。まず、本実施の形態の構成を説明する。図１は、本発明の実施例１のライトトンネルの保持機構の概観を示す上面図及び側面図である。ライトトンネルホルダー３３は、本発明の保持部に対応し、ライトトンネル５２の隣り合う２つの外側面の各々に接触して、ライトトンネル５２の位置決めを行うための２つの基準面３５ａ，３５ｂを有している。図１に示すライトトンネル５２は、接着後の状態を示しており、ライトトンネルホルダー３３の基準面３５ａ，３５ｂと接触して接着剤で固定されている。このライトトンネル５２は、光源３１から射出されて一方の開口部から入射した光を内部の反射面で反射させることにより導光し、他方の開口部から照度分布を均一化して射出する。
【００２０】
光源３１は、例えば赤色（Ｒ）光、緑色（Ｇ）光、及び青色（Ｂ）光をそれぞれ発光する３個のＬＥＤにより構成され、基準孔によって精度良くヒートシンク３２に固定されている。また、ライトトンネルホルダー３３は、ヒートシンク３２に精度よく固定されることにより、ライトトンネル５２の位置調整を行うことなく、光源３１とライトトンネル５２の位置精度を確保している。
【００２１】
なお、ライトトンネルホルダー３３は、ヒートシンク３２と一体的に形成されていてもよい。また、光軸方向のライトトンネル位置については、光源３１に配置したカバーガラス等基準面に沿わせて位置精度を確保している。
【００２２】
ここで、ライトトンネルの保持機構を備える画像投射装置の光学系の構成について説明する。図２は、本実施例の画像投射装置の構成を示す光学レイアウト図である。この画像投射装置は、ＬＣＯＳパネル９６に画像信号を入力し、当該画像信号に応じてＬＣＯＳパネル９６に入射した照明光を光変調し、ＰＢＳ（偏光ビームスプリッタ）９５で光変調された偏光成分を分離することによって投射レンズ９７からスクリーン９８に画像を投影するものである。
【００２３】
画像投射装置は、光源３１からＲ光，Ｇ光，Ｂ光を時系列に順次点灯した光を射出し、射出した光をライトトンネル５２に入射させる。ライトトンネル５２は、入射した光が内部で反射を繰り返すことによりライトトンネル出口面で照明強度分布を均一化することができる。更に、ライトトンネルを射出した光は、フィールドレンズ９３及びフィールドレンズ９４によりＬＣＯＳパネル９６に集光され、ＬＣＯＳパネル９６における光の強度ムラ等の発生を防ぐことが出来る。ＬＣＯＳパネル９６において光強度の分布が均一であるため、ＬＣＯＳパネル９６で光変調され反射した光が、ＰＢＳ９５、投射レンズ９７を経由して、スクリーン９８等に投射させる際の映像光についても光の強度分布を均一にすることができる。
【００２４】
なお、図２に示されていないが、この画像投射装置は、本発明に係るライトトンネルの保持機構を備えており、当該保持機構によりライトトンネル５２を保持している。
【００２５】
図３は、本実施例のライトトンネルの保持機構に用いられる板ばね５０の各方向からの斜視図である。この板ばね５０は、図３に示すように、ねじ締結孔５３、板ばね部５４、解除用孔端部６２、及びライトトンネル保持部６３を備えている。また、本発明のライトトンネル５２の保持機構は、ライトトンネルホルダー３３と板ばね５０とを備えた機構である。
【００２６】
板ばね部５４は、本発明の第１付勢部に対応し、ライトトンネル５２をライトトンネルホルダー３３に位置決め（接着）する際に、ライトトンネル５２と基準面３５ａ（もしくは基準面３５ｂ）とが密着するようにライトトンネル５２に対して付勢力を付加するとともに、ライトトンネル５２をライトトンネルホルダー３３に位置決めした状態でライトトンネル５２とライトトンネルホルダー３３とを接着固定した後にライトトンネル５２に対する付勢力を解除する。なお、具体的な付勢力の付加／解除方法については後述する。
【００２７】
ライトトンネル保持部６３は、本発明の第２付勢部に対応し、板ばね部５４と一体的に設けられ、板ばね部５４の付勢力が解除された際に、板ばね部５４が付勢力を付加する際の力よりも弱い付勢力でライトトンネル５２の位置を保持する。なお、ライトトンネル保持部６３の付勢力は、適切な形状を選択することにより調節可能であり、例えばライトトンネル保持部６３の幅を細くすることにより付勢力を弱めることができる。
【００２８】
図４は、本実施例のライトトンネルの保持機構におけるライトトンネル装着前のライトトンネルホルダー３３と板ばね５０の状態を示す断面図及び斜視図である。板ばね５０は、図４に示すように、板ばね位置４１で示す位置から板ばね位置４２で示す位置まで自由に動くことが可能となっている。
【００２９】
なお、図４に示す板ばね５０は、図１（ａ）の上面図に示すねじ７０ａにより固定されるべき板ばね５０である。実際には、当該板ばね５０のみならず図１（ａ）の上面図に示すねじ７０ｂにより固定されるべき板ばね５０も存在するが、これら２つの板ばね５０は、ライトトンネル５２を基準面３５ａに対して密着させるためのものか基準面３５ｂに対して密着させるためのものかの違いがあるものの、いずれもライトトンネル５２の隣り合う２つの面に対し垂直に付勢力が働くものであり、同様の構造を有している。したがって、本実施例においては、ねじ７０ａにより固定されるべき板ばね５０の説明のみ行うものとする。
【００３０】
次に、上述のように構成された本実施の形態の作用を説明する。図５は、本実施例のライトトンネル５２の保持機構におけるライトトンネル５２装着後のライトトンネルホルダー３３と板ばね５０の状態を示す断面図及び斜視図である。ユーザは、図５に示すように、ライトトンネル５２をライトトンネルホルダー３３の所定の位置に設置する。
【００３１】
なお、ライトトンネル５２は、光源３１からの光の入射面よりも射出面の方がわずかに広い台形形状を有している。ユーザがライトトンネル５２をライトトンネルホルダー３３内に設置することにより、ライトトンネル５２は、板ばね５０の板ばね部５４から付勢力を受け、基準面３５ａに沿った状態となっている。また、ライトトンネル５２は、図示されていない板ばね５０の存在により、手前から奥の方向に対しても付勢力を受けるので、図示しない基準面３５ｂに沿った状態にもなっている。
【００３２】
この状態で隣り合った２つの基準面３５ａ，３５ｂとライトトンネル５２とを接着剤等で接着することにより、ライトトンネル５２の位置は、精度良く保持される。
【００３３】
ここで接着は、次の手順でおこなわれる。
【００３４】
ライトトンネル５２におけるライトトンネル出口面に形成された図示しない塗布位置に対して接着剤を塗布し、硬化させる。この際、ライトトンネル出口面における隣り合う２つの面に対して接着をおこなうと、より接着強度を稼ぐことができる。更に、ライトトンネル入口面にも接着をおこなうことで、接着強度の上げることができる。
【００３５】
また、別の接着の手順として、次の方法がある。ライトトンネルの側面に側面より窪んだ図示しない凹状の接着剤溜りを設け、予め接着剤溜りに接着剤を塗布した後に位置決めを行い、その状態で硬化させることもできる。
【００３６】
これにより、ライトトンネルホルダー３３の基準面３５ａ，３５ｂにライトトンネル５２を位置決めした状態で、ライトトンネルホルダー３３にライトトンネル５２を接着することができる。
【００３７】
次に、ユーザは、２つの板ばね５０の各々に対してねじ７０ａ，７０ｂを締めることにより固定する。図６は、本実施例のライトトンネルの保持機構においてライトトンネル５２を基準面３５ａ，３５ｂに接着した後に板ばね固定用のねじ７０ａ，７０ｂを装着した状態を示す図である。
【００３８】
図６（ｃ）（ｄ）に示すように、ねじ７０の先端には円錐状の板ばね解除部６１が設けられている。ここで、ねじ７０ａとねじ７０ｂとは同一の構造を有しているため、両ねじに共通する説明は、ねじ７０として行うものとする。
【００３９】
ユーザがねじ７０ａ，７０ｂを締めて板ばね５０を固定する際に、板ばね解除部６１は、板ばね５０の解除用孔端部６２に嵌合して付勢力を解除する。また板ばね５０は、ライトトンネル５２に対する付勢力を発生させる板ばね部５４のみならず、ライトトンネル保持部６３も備えている。
【００４０】
このライトトンネル保持部６３は、上述したように、ねじ装着後に板ばね部５４の付勢力が解除された際において、弱い付勢力を与えてライトトンネル５２の位置を保持するものである。したがって、ライトトンネル保持部６３による付勢力は、ライトトンネル５２の現在位置を維持する程度の力であり、ライトトンネル５２中を光が通過して高温状態にあるときでもライトトンネル５２に歪みを与えるほどの力は無く、光学特性に影響を及ぼすこともない。
【００４１】
なお、ライトトンネル保持部６３は、ライトトンネル５２に接着剤等で接着固定されていてもよい。また、ライトトンネル保持部６３は、必須の構成要件ではない。ライトトンネル保持部６３が仮に存在しないとしても、ライトトンネル５２は、ライトトンネルホルダー３３の基準面３５ａ，３５ｂとの間で接着固定されるからである。しかしながら、各板ばね５０がライトトンネル保持部６３を備える場合には、ライトトンネル５２は、ライトトンネルホルダー３３の２つの基準面３５ａ，３５ｂと２つの板ばね５０とにより４方向から支えられるため、精度良く保持されることになる。
【００４２】
図７は、本実施例のライトトンネルの保持機構における板ばね固定用のねじ７０の構造を示す図である。ねじ７０は、図７に示すように機能的に３つの部分に分けることができ、板ばね５０の解除に用いる円錐部６１と、板ばね５０を解除位置で保持するストレート部７２と、ライトトンネルホルダー３３にねじ７０を固定する締結部７３とから構成されている。なお、ねじ７０は、単に圧入による締結部７３とライトトンネルホルダー３３との間の摩擦力で固定されるものでもよいが、締結部７３にねじを切ることでライトトンネルホルダー３３に固定する構成でもよい。
【００４３】
なお、図７において、円錐部６１とストレート部７２とは、その接続部において角ばった形状を示しているが、実際にはＲを持つように丸みつけ加工（Ｒ加工）されるのが好ましい。そのような形状を有することにより、板ばね解除部６１及びストレート部７１は、板ばね５０の解除用孔端部６２に嵌合して付勢力を解除する際にスムーズに解除用孔端部６２の位置をずらすことができるからである。
【００４４】
図８は、本実施例のライトトンネルの保持機構における板ばね５０のライトトンネル５２に対する付勢力の解除動作の詳細について説明する図である。ライトトンネル５２と基準面３５ａ，３５ｂとが接着された後において、ユーザは、図８（ａ）に示すように、板ばね５０のねじ締結孔５３に対して上方からねじ７０を挿入する。この時点において、板ばね部５４は、ライトトンネル５２に対する付勢力を維持している。
【００４５】
次に、ユーザがねじ７０を図８（ｂ）の位置まで挿入すると、板ばね部５４は、ライトトンネル５２に対する付勢力の解除動作を開始する。具体的には、ねじ７０の円錐状の板ばね解除部６１が板ばね５０の解除用孔端部６２に接触し、板ばね解除部６１の円錐形状に合わせて、解除用孔端部６２が徐々にライトトンネル５２から遠ざかる方向に引っ張られる。これに伴って、板ばね部５４は、同じ方向に引き寄せられるため、ライトトンネル５２に対する付勢力を徐々に解除することになる。
【００４６】
ユーザがねじ７０を最後まで挿入すると、図８（ｃ）に示すように、板ばね部５４による付勢力の解除動作が完了する。板ばね５０のライトトンネル５２に対する付勢力を発生させる板ばね部５４は、図８（ｃ）に示すようにライトトンネル５２との間に隙間を発生させ、ライトトンネル５２に対する付勢力が完全に解除されたことを確認できる。さらに、ねじ７０のストレート部７２は、板ばね５０の解除用孔端部６２を固定し、解除位置を保持している。
【００４７】
一方、ライトトンネル保持部６３は、板ばね部５４の付勢力が解除された際に、ねじ締結孔５３を含む板ばね５０の頭部がねじ７０によって押さえ込まれることにより、図８（ｃ）に示すようにライトトンネル５２に沿うように接触し、板ばね部５４が付勢力を付加する際の力よりも弱い付勢力でライトトンネル５２の位置を保持する。
【００４８】
その際に、ライトトンネル保持部６３は、板ばね部５４が付勢力を付加する際のライトトンネル５２に対する接触面積よりも広い接触面積でライトトンネル５２に付勢力を付加する。具体的には、板ばね部５４は、ライトトンネル５２に付勢力を付加する際に、図８に示すように点接触による強い力で付勢している。これに対し、ライトトンネル保持部６３は、ライトトンネル５２に付勢力を付加する際に面で接触するため、一箇所に付勢力を偏らせることなく高温時においても歪みを防止し、且つ高い精度でライトトンネル５２の位置を維持することができる。
【００４９】
上述のとおり、本発明の実施例１の形態に係るライトトンネルの保持機構及び画像投射装置によれば、光源３１からの熱やライトトンネル５２に対する荷重に起因する光学特性の変動を回避し、組立工数を減じて作業性に優れたライトトンネルの保持機構を実現することができる。
【００５０】
すなわち、本実施例のライトトンネルの保持機構は、ライトトンネル５２をライトトンネルホルダー３３に接着する際に、ライトトンネル５２と基準面３５ａ，３５ｂとが密着するようにライトトンネル５２に対して付勢力を付加する板ばね部５４を備えているので、ライトトンネル５２を精度良くライトトンネルホルダー３３に接着させることができる。さらに、板ばね部５４は、接着後において、板ばね固定用のねじ７０を装着することにより付勢力を解除することができるので、ライトトンネル５２内に光を入射させた場合にも熱による光学特性の変動がなく、組立工数に優れたライトトンネルの保持機構を提供することができる。
【００５１】
また、板ばね部５４と一体的に設けられ、板ばね部５４の付勢力が解除された際に、板ばね部５４が付勢力を付加する際の力よりも弱い付勢力でライトトンネル５２の位置を保持するライトトンネル保持部６３を備えているので、本実施例のライトトンネルの保持機構は、板ばね部５４の付勢力が解除されても、ライトトンネル５２の保持力を十分に確保することができる。特に、ライトトンネル保持部６３とライトトンネル５２とを接着することで、よりライトトンネル５２の保持力を確保することができる。
【００５２】
また、ライトトンネル保持部６３は、板ばね部５４が付勢力を付加する際のライトトンネル５２に対する接触面積よりも広い接触面積でライトトンネル５２に付勢力を付加するので、一箇所に付勢力を偏らせることなく高温時においても歪みを防止し、且つ高い精度でライトトンネル５２の位置を維持することができる。
【００５３】
さらに、上述した本発明に係るライトトンネルの保持機構を備えた画像投射装置を構成することにより、光源３１からの熱やライトトンネル５２に対する荷重に起因する光学特性の変動を回避し、組立工数を減じて作業性に優れた画像投射装置を実現することができる。
【産業上の利用可能性】
【００５４】
本発明に係るライトトンネルの保持機構及び画像投射装置は、面内の均一な照明光を得るために用いられるライトトンネルの保持機構及び当該ライトトンネルの保持機構を備えた画像投射装置に利用可能である。
【符号の説明】
【００５５】
１      ロッドインテグレータ
２      中空部材
６      入射面
８，９  マスク
１０    ネジ
１１    板ばね
１２，１３  開口部
１４    ブリッジ部
２０    ロッドインテグレータ
２１，２２  Ｌ字状の部材
２３，２４  ネジ
２５−１，２５−２  保持部材
３１    光源
３２    ヒートシンク
３３    ライトトンネルホルダー
３５ａ，３５ｂ  基準面
４１，４２  板ばね位置
５０    板ばね
５２    ライトトンネル
５３    ねじ締結孔
５４    板ばね部
６１    円錐部
６２    解除用孔端部
６３    ライトトンネル保持部
７０，７０ａ，７０ｂ  ねじ
７２    ストレート部
７３    締結部
９３，９４  フィールドレンズ
９５    ＰＢＳ
９６    ＬＣＯＳパネル
９７    投射レンズ
９８    スクリーン
【図１】
2011102904.tif 000003
【図２】
2011102904.tif 000004
【図３】
2011102904.tif 000005
【図４】
2011102904.tif 000006
【図５】
2011102904.tif 000007
【図６】
2011102904.tif 000008
【図７】
2011102904.tif 000009
【図８】
2011102904.tif 000010
【図９】
2011102904.tif 000011
【図１０】
2011102904.tif 000012